(57)【特許請求の範囲】
【請求項１】
耐食性ワイヤー（１１，１２，１３，１４）を編んで形成され、表面土上に取り付けられるか、スロープや同様の箇所にほぼ直立姿勢で固設される表面土層保護用または礫遮蔽用の金網において、
前記金網（１０）は高張力鋼製のワイヤー（１１，１２，１３，１４）で構成されており、
前記ワイヤーは、それらの端部にループ（１１"，１２"，１３ａ，１４ａ）が形成されており、２本で一組となっている隣合せのワイヤーは、隣り合う２つのループ（１１"，１２"，１３ａ，１４ａ）の一方のループのワイヤーを他方のループ内を通過させることにより、互いに曲げやすく連結されていることを特徴とする金網。
【請求項２】
前記金網（１０）は、前記ワイヤー（１１，１２，１３，１４）が前記ループ（１１"，１２"，１３ａ，１４ａ）によってリンク連結されている側縁ではなく、他の２つの端部でのみケーブル（２１）等によって保持されることを特徴とする請求項１に記載の金網。
【請求項３】
ループ（１１"，１２"，１３ａ，１４ａ）を設けられた後の各ワイヤーが、自身の周囲に巻き付けられた少なくとも１つのループ（１９）を更に有していることを特徴とする、請求項１又は２に記載の金網。
【請求項４】
ループ（１３ａ，１４ａ）が、コイル形ワイヤー（１３，１４）の全長にわたる各製造加工湾曲（１３ｂ，１４ｂ）と同様の加工湾曲で形成されていることを特徴とする、請求項１〜３の１つに記載の金網。
【請求項５】
前記高張力鋼製ワイヤーが１０００から２２００Ｎ／ｍｍ2の範囲の呼び強度を有し、鋼製ワイヤーとして撚線またはバネ鋼ワイヤーを使用することを特徴とする、請求項１〜４の１つに記載の金網。
【請求項６】
金網（１０）が単線の、螺旋状曲げワイヤー（１１，１２，１３，１４）を編んで形成され、これらワイヤーにはそれぞれ好ましくは２５゜〜３５゜の傾斜角（α）が与えられていることを特徴とする、請求項１〜５の１つに記載の金網。
【請求項７】
金網（１０）が菱形編み目（１７）を有する４角形の斜行模様網を形成し、３次元マットレス構造であることを特徴とする、請求項１〜６の１つに記載の金網。
【請求項８】
３次元形状金網（１０）がワイヤー太さの数倍の厚さ（１０´）を有していることを特徴とする、請求項７に記載の金網。
【発明の詳細な説明】
【０００１】
【発明の属する技術分野】
本発明は、礫遮蔽用のまたは表面土層保護用の金網であって、耐食性ワイヤーを編んで作られ、地面に配置されるか、あるいはスロープもしくは同様の場所にほぼ直立姿勢で固設される金網に関する。
【０００２】
【従来の技術】
しばしば用いられる公知の金網は、添付図面（図９）に示されるように、六角形の金網で形成されている。このような金網は、曲げ強度と引張強度の値が低い亜鉛メッキ鋼から成っており、従って編み上げる途中で撚り合せることができる。六角形状の個々の編み目は、互いに編み合わされる２本のワイヤーを繰り返し撚り合せることで形成され、その場合撚り合わされた箇所は金網の縦方向へ延び、それら箇所の間の個々のワイヤーは斜め方向へ延びている。これら金網は、製造され使用される形状において、殆ど二次元形状となっている。即ち、横断面で見た場合、ワイヤー編み目は殆ど直線形状になされており、それは、それらの低抵抗力のために、ワイヤーが弱い力でどのようにも曲がるからである。これら金網は貯蔵、搬送のために巻かれており、そのために大きなスペースを必要とする。更に、これら金網を取付場所で巻き放す際に、巻かれていたために、これら金網が急激に開放し自ら広がってしまうという欠点がある。
【０００３】
【発明が解決しようとする課題】
このような金網を急勾配で不安定な斜面で斜面防護要素として使用する場合、金網は対角線方向、縦方向及び／又は横方向において規則的な間隔で緊張された、或は金網内に編み込まれた撚り線によって補強されなければならない。更に、金網は縁部補強を施されていなければならず、また地山にアンカーされるリベットメントを全面上に１ないし５メートルの間隔で設ける必要があり、そうすることによって金網は、滑落する危険のある表面層、或は剥離表面領域のための適切な表面被覆支持を確実に行う。
【０００４】
本発明の課題は、最初に述べた型式の金網において、公知の金網とは対照的に、斜面又は岩壁上に取り付け得る、安価で軽量の被覆が得られるようにすることである。更に、金網を取付け場所で巻き放す際に、金網が非意図的に自ら広がってしまわないようにすると共に、この金網をその保管及び搬送中にスペースを節約するために畳み込むことができるようにすることである。
【０００５】
【課題を解決するための手段】
本発明によれば、上記の課題は、耐食性ワイヤーを編んで形成され、表面土上に取り付けられるか、スロープや同様の箇所にほぼ直立姿勢で固設される表面土層保護用または礫遮蔽用の金網において、上記金網は高張力鋼製のワイヤーで構成されており、上記ワイヤーは、それらの端部にループが形成されており、２本で一組となっている隣合せのワイヤーは、隣り合う２つのループの一方のループのワイヤーを他方のループ内を通過させることにより、互いに曲げやすく連結されていることによって解決される。
【０００６】
公知の金網に比較して、本発明による所定の呼び強度を有するこの金網を使用することにより、単位の被覆領域あたり、重量を半分以上減少させることができ、それによって、必要材料並びに金網の取り外し取り付けに関して実質的な費用節約になる。更に、ワイヤーには大きな曲げ強度があるために、ワイヤーに破断が生じた場合に、伝染破断が生じる危険は少ない。
【０００７】
また、ワイヤーがそれら端部で２つ一組になってループによって互いに曲げやすく連結されていることによって、一方において金網の意図しない開放が確実に防止され、他方においてこの金網はマット状に折り畳むか或いは巻き上げることができる。従って、金網を保管し搬送するのに要するスペースが小さくてすむ。
【０００８】
引っ張り状態でもその曲げ強度は大きいので、本発明のこの金網を使用した場合、３次元構造もしくはマットレス形構造が得られる。この結果、この金網は例えば斜面などの地面を被覆する際に使用することができ、更に植生層または被覆上への噴霧が決まった場所に保持され且つ安定化される。
【０００９】
本発明の金網の更に別の利点は、相互に編まれた、単線の、螺旋形状の曲げワイヤーから成るこの金網は、畳み込むことができ、従って貯蔵及び搬送中に要するスペースは少なくてよい。
【００１０】
【発明の実施の形態】
本発明の実施形態を、図面を参照して以下に更に詳細に説明する。
【００１１】
図１は表面土層などの保護、例えば斜面保護、または道路などに沿った岩壁を保護するための金網１０を示している。この場合、この金網１０は編まれたワイヤー１１、１２、１３、１４から構成され、また土中に埋め込んだリベットメント１５による一定の押え部材によって決められた場所に保持されている。これらワイヤーは通常、所望の耐食性を得るためにメッキされており、或は亜鉛／アルミニウム被覆及び／又はプラスチック被覆を施されており、或はクロム合金製である。これに加えて、例えば、面積重量が１００ｇ／ｍ２から２５０ｇ／ｍ２のメッキ被覆が施されている。
【００１２】
本発明によれば、金網１０のワイヤー１１、１２、１３及び１４は高張力鋼で製造されている。好ましくは、撚り合わせて撚線になされたワイヤーがこれら高張力鋼ワイヤー１１、１２、１３及び１４用に使用される。ドイツ工業規格２０７８によれば、そのようなワイヤーは１０００から２２００Ｎ／ｍｍ2の呼び強度を有しており、例えば１７７０Ｎ／ｍｍ2のワイヤーである。しかしながら、ドイツ工業規格１７２２３によるバネ鋼ワイヤーも使用可能である。ワイヤー太さは１ｍｍ〜３ｍｍの間にあることが好ましい。これは、必要な引っ張り力に依存する。
【００１３】
金網１０は四角形の、斜行模様の網から形成されており、この網における個々の螺旋形の折曲ワイヤー１１、１２、１３、１４は、金網１０の編み目１７の形状と寸法を決定する２つの折曲部間の傾斜角α並びに長さＬを有している。好ましくは、傾斜角αとして略３０゜が選択される。各編み目１７はそれぞれ菱形になっており、それにより編み目の幅は、例えば７７×１４３ｍｍになる。これによって、金網１０は、土表面に配置され且つケーブル２１によって張られ、長手方向範囲へ引っ張られても、それほど伸長しないという効果がもたらされる。更に、その結果、個々の編み目１７は長細い開口を持つ菱形を形成し、このことによって土突出の可能性が少なくなるという効果が得られる。
【００１４】
ワイヤー１１、１２、１３、１４は側方端部においてループ１１"、１２"によって２つ一組で互いに曲げやすく連結されており、その場合ループ１１"、１２"はワイヤー自体を側方端部で折り曲げて形成されている。曲げてループにした後、更にワイヤーにその周囲に巻き付けたいくつかのループ１９をもうけることが好ましく、これらループは、使用状態においてこれらループへ引っ張り荷重が掛かるため、ループが開放しないように十分に作用する。
【００１５】
本発明の枠内で、このことは次のような更なる効果を生ずる。即ち個々のワイヤーは互いに編まれた状態で互いに曲げやすく維持されており、その結果金網１０はマット状に折り畳まれ或は巻き上げることができる。従って、そのような金網を貯蔵し搬送するのに広いスペースを必要としない。
【００１６】
好ましくは、ワイヤー又はケーブル２１は金網１０の上端又は下端にある端部ワイヤー１１の輪に通され、次いで金網はリベットメント１５等によって土の上に張られる。しかし、原則として、リベットメント１５は実際にワイヤーループ１１´も保持する。
【００１７】
図３は側縁におけるワイヤー１１，１２，１３，１４の連結を示しており、これら側縁は上記のように２つ一組で互いにループ１３ａ，１４ａによって互いに曲げやすく連結されており、その場合これらループ１３ａ，１４ａはワイヤー自体によって形成されている。この実施形態において、各ループ１３ａ，１４ａはコイル形状のワイヤー全体における製造加工湾曲１３ｂ，１４ｂと同様の加工湾曲１３ｂ，１４ｂで形成されている。このことは製造を容易にする。なぜならば、ループの加工湾曲はその他のすべての箇所の加工湾曲と同様に形成され、ワイヤー端部がカットされ、残された端部がワイヤー１３，１４のそれ自体の周囲に巻き付けられた１つ以上のループ１９を備えるからである。
【００１８】
図２によれば、高張力鋼を使用することによって製造可能の金網１０は３次元の、マットレス様構造を有している。そのために、個々のワイヤー１１、１２、１３、１４は螺旋形に曲げられ、次いで、曲げたワイヤーとこれからでき上がる金網１０とが、断面で見て、略４角形状を形成するように、互いに編まれる。従って、ワイヤーは折曲部１１´と直線部９１とから成っている。この長細い４角形は、ワイヤー太さの数倍の厚さを有している。この結果、この金網１０はハーネス状に形成され、これは図９に示す公知の金網のようにほぼ線状または帯状ではなく、３次元形状である。一方において、このことは、これらワイヤーがそれらの長手方向範囲に大きく緊張させて引き伸ばすことができるので、金網の弾性特性を増大することになり、また金網に大きな弾性を与えることになる。他方において、更に、土、例えば斜面を被覆する場合、この金網内にすえられた植生層や被覆上の噴霧の保持や安定化が、この３次元形状によって得られる。
【００１９】
編み目の幅は別にして、金網１０の厚さ１０´はその用法によって、変えてもよい。この厚さ１０´は個々のワイヤー１１、１２、１３、１４を曲げる時に決まる。この厚さは、好ましくは、図２に示すように、ワイヤー太さの３〜１０倍の間にある。
【００２０】
図９に示されている公知の６角形の金網に対して、本発明の金網によれば、ほとんど直線的な磁束が斜め方向へ発生するため、これがエネルギーの最適な流れをもたらし、そのため被覆された土の引き締めが向上する。金網の斜材での局部的な磁気的影響は、側方へ伝達され、同時に種々のリベットメントによって吸収される。
【００２１】
図４は斜面保護具４０としての本発明による金網１０を示しており、例えば斜面は保護されるべき表面土層を形成している急勾配スロープ４５上にある。この斜面保護具４０は所望の斜面領域に配置された金網１０と、土表面へ金網１０を押しつける締着板等１５´を具備し土内に埋め込まれるリベットメント１５とから成っている。公知の土スパイクまたは岩スパイクがリベットメントのために必要であり、斜面４５上に規則的間隔で固着されていることが好ましい。金網１０の上端及び下端に、ケーブル２１がそれぞれ設けられており、それによって金網１０は牽引によって引き伸ばされる。
【００２２】
図５及び図６は締着板１５´を示しており、この締着板は図示のように丸い、楕円形のまたはその他の形状の薄板から成っており、またこの薄板の部分を直角に曲げて下方へ突出させた楔形状のグリップ１５"を有している。各締着板１５´はリベットメント１５により金網１０に押しつけられ、それによって斜面４５は、全支持領域に影響を及ぼす金網１０によって、永久的に保護されることになる。金網を通して延びるグリップ１５"は楔形状であるので、金網と楔結合を行う。
【００２３】
柔らかい土状態の場合、できるだけ大きく定められる引き力をリベットメントへ与えるために、締着板１５´の下方に且つ金網の下に１ｍ２以上の表面積２を持つ織物パッドを配置してもよく、その場合この対候性織物パッドは圧入モルタル混合物で満たされる。岩石から成る、深く亀裂が生じた地盤の場合、斜面表面と金網との間に空隙部が生じる箇所であっても、接触を達成するために、上記のような織物パッドを下側に配置してもよい。
【００２４】
この実施の形態は、一方において、取り付けの容易性を例証しており、他方において、金網１０のマットレス状構造によって、改善された被覆成果を例証している。上記のような斜面４５はしばしば急斜面から成っており、従って接近しにくい。金網はヘリコプターを用いて運ばなければならないことさえある。もしこの金網が、公知のものと比べて、半分以下の重量であれば、相応して低い経費で搬送し移動させることができる。
【００２５】
この斜面保護具４０は、図示のように表面層４５の侵食を防ぐためなど、種々の目的で使用できるが、砂礫層にも、石や木塊などの遮蔽用にも、表面土層の滑りを防止するためにも、或はこれら斜面に発生する植生の根本層を支持するためにも使用可能である。
【００２６】
図７及び図８は、一般に斜面上の箇所から谷に向けて高速で滑り落ちる岩、岩片、木片、或はその他の物体を捕捉するのに適した礫フェンス５０に応用した本発明による金網１０を示している。この金網１０はほぼ直立姿勢で山のスロープ２５に対してほぼ直角に設置され、設置工程でこの金網は鋼製の支柱５５に固定され、上記支柱はそれぞれ土中５６にアンカーされる。金網１０は上部及び下部においてワイヤーケーブル５２を介して水平支持ワイヤー５３に固着され、その際この金網はワイヤーケーブル５２によってそれぞれ支持ワイヤーにつなぎ合わされる。支持ワイヤー５３は、一方において支柱５５に保持され、他方においてその端部５３´を利用して基礎等に固着され且つ緊締される。
【００２７】
強力金網１０の有している、弾性的でばね作用のある特性によって、岩石または木塊が衝突した場合に与えられる高運動エネルギーは弱められる。衝突岩石等の局部的磁気的影響は、すべての方向に均等に配分される。この点に関して、本発明による金網の更なる効果が生じる。なぜならば、この金網は、多数倍高い弾性域内にある低応力係数を持つ公知の金網とは著しく違って、かなり大きな力を吸収することができ、その結果、製造費および設置費が低減する外に、必要な補修工事もかなり少なくなる。
【００２８】
図９は、本明細書の最初の部分で説明した試験済の公知の編成金網を示しており、従って詳細には説明しない。
【００２９】
図１０および図１１は、本発明による単線の高張力鋼ワイヤー１１で製作される金網１０の製造作業を実施する装置６０を示している。この装置６０は本質的に、直立部６２を持つ基部６１と、旋回駆動装置６３と、旋回駆動装置と回転動作的に結合された曲げユニット６５と、案内板６４と、曲げマンドレル６６とから成っている。旋回駆動装置６３は直立部６２に固定されており、そして曲げユニット６５を支持する旋盤チャック６８を駆動し、それによって曲げユニット６５はその水平旋回軸線を円筒形状曲げマンドレル６６と同心的に整合せしめられる。案内板６４は水平案内領域６４´を有しており、この領域は水平の曲げマンドレル６６下方の間隙を調整する。曲げユニット６５のスイベル担持部材７３は案内領域６４´の延長上で調節され、旋回駆動装置６３の旋盤チャック６８において固定される。更に、案内溝７２、停止部材７３、この停止部材の前方で調節されるピボット７４、ならびに間隙７５´を有している保持ジョイント７５は曲げユニット６５に取り付けられており、すべてスイベル担持部材７３上に一緒に保持されている。
【００３０】
図１０（Ａ）または図１１（Ａ）によれば、高張力鋼製のワイヤー１１は、旋盤チャック６８と支持エレメント７１の間を通って案内領域６４上へ、且つ曲げマンドレル６６の下を通って横方向へ案内される。次いで、ワイヤーは案内溝７２を通して押され、停止部材７３までもたらされる。これらの動作は、詳細には示されていない給送装置によって機械的に行うことができる。ワイヤー１１はこの案内溝７２によって、傾斜角α、曲げマンドレル６６から停止部材までの距離Ｌで曲げマンドレル６６と整合せしめられる。必要に応じて調整可能のこの傾斜角α並びに距離Ｌは、既に上記したように金網１０の編み目１７の形状と寸法を決定する。ピボット７４は、ワイヤー１１が既に曲げられている場合に付加的に使用され、その場合更に、ワイヤーはこのピボット７４を出たあと保持ジョイント７５によって案内される。
【００３１】
図１０（Ｂ）及び図１１（Ｂ）によれば、曲げユニット６５は制御された駆動装置６３によって曲げマンドレル６６の回りを回転せしめられ、図では曲げマンドレルは略垂直姿勢で示されている。
【００３２】
曲げユニット６５が１８０゜回転せしめられ、そして図１０（Ｃ）または図１１（Ｃ）によれば案内領域６４上で略平行に成るやいなや、調心されたワイヤー１１は曲げマンドレル６６の周りでほぼ１８０゜曲げられる。その結果、曲げユニット６５は図１０（Ａ）に示されている当初位置へ回転して戻ることができ、その場合ワイヤーは曲げられた状態に維持されている。曲げユニット６５が回転して戻った後、曲げマンドレル６６の周囲に案内されているワイヤー１１は、停止部材７３に衝合するまで、その長手軸線に関して前方へ押され、そしてピボット７５または保持ジョイント７５で調心される。その後、次のスイベル運動が相応して行われる。曲げユニット６５の１８０゜の繰り返しの回転とそれに続くワイヤー押動によって、曲り部１１´と直線部９１を持つ螺旋形状のワイヤーが図１１のとおり製造される。この方法によれば、更なる効果が結果としてもたらされる。即ち、螺旋形曲げワイヤー１１の曲り部１１´並びに直線部に関する角度αの安定性が増大する。
【００３３】
このような螺旋形ワイヤー１１が装置６０によって製作された後、ワイヤーは慣用の方法で互いに編まれて金網１０にすることができる。そのために、曲げワイヤーは、所望寸法の金網が製造されるまで、互いにつなぎ合わされる。
【００３４】
本発明は上記の実施の態様によって十分に説明された。もちろん、この金網は違った態様にしてもよい。例えば、各ワイヤーは示されているものとは違った態様に曲げてもよい。説明された実施の形態における傾斜角αは略３０゜であるが、必要であれば１５゜〜４５゜の間で決めてもよい。
【００３５】
本発明はすべてのタイプの土表面層被覆に適しており、例えば坑内採鉱における被覆にさえも適している。従って、上記の方法で、トンネル内の壁及びアーチ、格納庫、洞窟などを、本発明によるこれら金網を使用して被覆し、固めることができる。安価に構築できるトンネル被覆の場合、トンネル壁から離脱した岩石はこの金網被覆を用いて安全に収集することができる。
【００３６】
この金網１０は、高速道路構造または道路築造物の基礎層の補強または強化のために上記の方法で使用してもよく、または建設現場の場合、金網を相当する下部構造または上部構造に適合させることによって使用してもよい。更に、この金網は、例えば歴青または水硬セメント面のようなタールまたはコンクリート面を補強するために使用してもよい。
【図面の簡単な説明】
【図１】本発明による金網の平面図である。
【図２】図１の線ＩＩ−ＩＩに沿う断面図である。
【図３】対のワイヤーが特異な連結をしている本発明による金網の部分的平面図である。
【図４】斜面保護材としての本発明による金網の斜視図である。
【図５】図４に示す斜面保護材締着板の平面図である。
【図６】図４に示す斜面保護材の部分的断面図である。
【図７】礫遮蔽バットレスとして用いられている金網の概略正面図である。
【図８】図７の礫遮蔽バットレスの概略側面図である。
【図９】撚り合わされたワイヤーを有する公知の金網の部分的概略図である。
【図１０】金網を製造するために用いられる装置を互いに異なった作動状態（Ａ）〜（Ｃ）で示す斜視図である。
【図１１】図１０示す各作動状態における装置のそれぞれの概略正面図（Ａ）〜（Ｃ）である。
【符号の説明】
１０…金網
１０´…厚さ
１１，１２，１３，１４…ワイヤー
１１´…折曲部
１１"，１２"…ループ
１３ａ，１４ａ…ループ
１３ｂ，１４ｂ…製造加工湾曲
１５…リベットメント
１５´…締付板
１５"…グリップ
１７…編み目
１９…ループ
２１…ワイヤー又はケーブル
４０…斜面保護具
４５…急勾配スロープ（斜面）
９１…直線部
【図１】
0004052423.tif 000002
【図２】
0004052423.tif 000003
【図３】
0004052423.tif 000004
【図４】
0004052423.tif 000005
【図５】
0004052423.tif 000006
【図６】
0004052423.tif 000007
【図７】
0004052423.tif 000008
【図８】
0004052423.tif 000009
【図９】
0004052423.tif 000010
【図１０】
0004052423.tif 000011
【図１１】
0004052423.tif 000012